(57)【要約】【課題】遠隔地の複数拠点にいる複数人で行なうアイディア創出活動を支援することのできる支援システムを提供する。【解決手段】拠点ＡにあるＰＣ１００Ａは、拠点Ａにある作業面に新たに配置された第１のカードへの書き込み情報と、第１のカードが配置された位置とを特定すると、その書き込み情報と前記配置された位置とをカード情報としてメモリーに記憶する。そして、ＰＣ１００Ａは、遠隔の拠点ＢにあるＰＣ１００Ｂにその情報を送信する。ＰＣ１００Ｂは、受信した書き込み情報に基づいて、接続された印刷装置２００Ｂに第２のカードの印刷を指示する。また、受信した、第１のカードが配置された位置に基づいて、拠点Ｂにある作業面上の第２のカードを配置する位置を提示する。【選択図】図１
2014216888.tif 000002
【特許請求の範囲】
【請求項１】
制御装置においてアイディア創出活動を支援する方法であって、
第１の作業空間に新たに配置された第１のカードへの書き込み情報と、前記第１のカードが配置された位置とを特定するステップと、
特定された前記第１のカードについての前記書き込み情報と前記配置された位置とをカード情報としてメモリーに記憶するステップと、
特定された前記書き込み情報に基づいて、前記制御装置に接続された印刷装置に第２のカードの印刷を指示するステップと、
特定された前記第１のカードが配置された位置に基づいて、第２の作業空間上の前記第２のカードを配置する位置を提示するステップとを備える、支援方法。
【請求項２】
前記第１の作業空間に対するユーザーの操作を検知するステップをさらに備え、
前記書き込み情報と前記配置された位置とを特定するステップは、前記第１の作業空間に対するユーザーの操作があったことが検知された場合に実行される、請求項１に記載の支援方法。
【請求項３】
前記書き込み情報と前記配置された位置とを特定するステップは、前記第１の作業空間を含む撮影画像の入力を受け付けるステップを含み、前記撮影画像を解析することで前記書き込み情報と前記配置された位置とを特定する、請求項１または２に記載の支援方法。
【請求項４】
前記書き込み情報と前記配置された位置とを特定するステップは、直近の前記第１の作業空間についての前記カード情報と比較することで前記第１のカードを抽出するステップを含む、請求項１〜３のいずれかに記載の支援方法。
【請求項５】
前記提示するステップでは、前記第１のカードが配置された位置に基づいて、前記制御装置に接続された表示装置に、前記第２の作業空間上に前記第２のカードの配置する位置を示す表示を行なわせる、請求項１〜４のいずれかに記載の支援方法。
【請求項６】
前記第２のカードの配置する位置を提示した後に、前記第２の作業空間に配置された前記第２のカードへの書き込み情報と配置された位置とを特定するステップと、
前記第２のカードへの書き込み情報および前記第２のカードが配置された位置と、前記第１のカードへの書き込み情報および前記第１のカードが配置された位置とを比較することで、前記第２のカードの配置の完了を判断するステップと、
前記第２のカードの配置が完了したと判断された場合に、前記表示装置に、前記第２のカードの配置する位置を示す表示を終了させるステップとをさらに備える、請求項５に記載の支援方法。
【請求項７】
前記提示するステップでは、前記印刷装置に、前記第１のカードが配置された位置に基づいて前記第２のカードを配置する位置を印刷させる、請求項１〜４のいずれかに記載の支援方法。
【請求項８】
前記第１の作業空間から取り除かれた第３のカードを特定するステップと、
前記第２の作業空間の、前記第３のカードに対応した第４のカードが操作対象であることを提示するステップとをさらに備える、請求項１〜７のいずれかに記載の支援方法。
【請求項９】
前記取り除かれたカードを特定するステップにおいて、前記第１の作業空間から前記第３のカード、および、前記第２の作業空間から前記第４のカードが取り除かれたこと、が特定されると、前記操作対象であることを提示するステップでは、前記第１の作業空間でも操作対象であることを提示する、請求項８に記載の支援方法。
【請求項１０】
前記取り除かれたカードを特定するステップにおいて前記第１の作業空間から前記第３のカードが取り除かれたことが特定され、前記第１のカードへの書き込み情報が前記第３のカードへの書き込み情報と一致する場合に、前記記憶するステップでは、前記第３のカードが前記第１のカードの位置に移動されたことを前記メモリーに記憶する、請求項８または９に記載の支援方法。
【請求項１１】
アイディア創出活動を支援するシステムであって、
印刷装置と、
前記印刷装置に電気的に接続された制御装置とを備え、
前記制御装置は、
第１の作業空間に新たに配置された第１のカードへの書き込み情報を特定するための第１の特定手段と、
前記第１のカードが配置された位置とを特定するための第２の特定手段と、
特定された前記第１のカードについての前記書き込み情報と前記配置された位置とをカード情報としてメモリーに記憶するための記憶手段と、
特定された前記書き込み情報に基づいて、前記印刷装置に第２のカードを印刷させるための制御手段と、
特定された前記第１のカードが配置された位置に基づいて、第２の作業空間上の前記第２のカードを配置する位置を提示するための提示手段とを備える、支援システム。
【請求項１２】
アイディア創出活動の支援を制御するための制御装置であって、
第１の作業空間に新たに配置された第１のカードへの書き込み情報を特定するための第１の特定手段と、
前記第１のカードが配置された位置とを特定するための第２の特定手段と、
特定された前記第１のカードについての前記書き込み情報と前記配置された位置とをカード情報としてメモリーに記憶するための記憶手段と、
特定された前記書き込み情報に基づいて、前記制御装置に接続された印刷装置に第２のカードを印刷させるための制御手段と、
特定された前記第１のカードが配置された位置に基づいて、第２の作業空間上の前記第２のカードを配置する位置を提示するための提示手段とを備える、制御装置。
【請求項１３】
請求項１２に記載の制御装置を含んだ、画像形成装置。
【請求項１４】
コンピューターに、アイディア創出活動を支援するための処理を実行させるプログラムであって、前記プログラムは、
第１の作業空間に新たに配置された第１のカードへの書き込み情報と、前記第１のカードが配置された位置とを特定するステップと、
特定された前記第１のカードについての前記書き込み情報と前記配置された位置とをカード情報としてメモリーに記憶するステップと、
特定された前記書き込み情報に基づいて、前記コンピューターに接続された印刷装置に第２のカードの印刷を指示するステップと、
特定された前記第１のカードが配置された位置に基づいて、第２の作業空間上の前記第２のカードを配置する位置を提示するステップとを前記コンピューターに実行させる、支援プログラム。
【発明の詳細な説明】
【技術分野】
【０００１】
この発明は支援方法、支援システム、制御装置、画像形成装置、および支援プログラムに関し、特に、アイディア創出活動を支援する方法、システム、制御装置、画像形成装置、およびプログラムに関する。
【背景技術】
【０００２】
アイディア創出活動では、参加者それぞれがアイディアを書いて共有化したり分析作業したりするための媒体として、付箋などの紙片（カード）が用いられる。すなわち、アイディア創出活動では、複数の参加者それぞれがアイディアをカードに書いて出し合い、出されたアイディアをＫＪ法やフレームワークなどの分析手法を活用して分析して新たなアイディアの導出につなげることがなされている。アイディアを分析するために、最初に出されたアイディアを様々な角度から見て、新たな切り口を見出そうとすることが行なわれる。
【０００３】
この活動において、カードには、特別な技術を有さずとも誰でも気軽にアイディアを書くことができ、容易に任意の位置に置いたり（貼ったり）、位置を替えたりできるという、デジタルツールにないメリットがある。そのため、アイディア創出活動には付箋などの紙製のカードがよく用いられている。
【０００４】
このようなアイディア創出活動を遠隔の複数拠点にいる複数人で行ないたいというニーズがある。その場合には、たとえば特開平６−２６１３１７号公報（以下、特許文献１）に開示されているような映像システムを利用して、遠隔にいる参加者同士が同じ作業空間を囲んでいるように双方に相手の映像を提供してアイディア創出活動を進めることが考えられる。
【先行技術文献】
【特許文献】
【０００５】
【特許文献１】特開平６−２６１３１７号公報
【発明の概要】
【発明が解決しようとする課題】
【０００６】
しかしながら、特許文献１に開示されている映像システムを利用した場合、参加者は遠隔地でのアイディア創出活動を映像で確認するのみであって、遠隔地で用いられているカードの位置を替えたり書き加えたりするような、実際のカードを操作してアイディア創出活動を行なうことができない。そのため、アイディア創出活動の複数の参加者の間での一体感に欠け、活発なアイディア創出活動の妨げとなる場合がある、という課題があった。
【０００７】
本発明はこのような問題に鑑みてなされたものであって、遠隔地の複数拠点にいる複数人で行なうアイディア創出活動を支援することのできる支援方法、支援システム、制御装置、画像形成装置、および支援プログラムを提供することを目的としている。
【課題を解決するための手段】
【０００８】
上記目的を達成するために、本発明のある局面に従うと、支援方法は制御装置においてアイディア創出活動を支援する方法であって、第１の作業空間に新たに配置された第１のカードへの書き込み情報と、第１のカードが配置された位置とを特定するステップと、特定された第１のカードについての書き込み情報と配置された位置とをカード情報としてメモリーに記憶するステップと、特定された書き込み情報に基づいて、制御装置に接続された印刷装置に第２のカードの印刷を指示するステップと、特定された第１のカードが配置された位置に基づいて、第２の作業空間上の第２のカードを配置する位置を提示するステップとを備える。
【０００９】
好ましくは、支援方法は第１の作業空間に対するユーザーの操作を検知するステップをさらに備え、書き込み情報と配置された位置とを特定するステップは、第１の作業空間に対するユーザーの操作があったことが検知された場合に実行される。
【００１０】
好ましくは、書き込み情報と配置された位置とを特定するステップは、第１の作業空間を含む撮影画像の入力を受け付けるステップを含み、撮影画像を解析することで書き込み情報と配置された位置とを特定する。
【００１１】
好ましくは、書き込み情報と配置された位置とを特定するステップは、直近の第１の作業空間についてのカード情報と比較することで第１のカードを抽出するステップを含む。
【００１２】
好ましくは、提示するステップでは、第１のカードが配置された位置に基づいて、制御装置に接続された表示装置に、第２の作業空間上に第２のカードの配置する位置を示す表示を行なわせる。
【００１３】
より好ましくは、支援方法は、第２のカードの配置する位置を提示した後に、第２の作業空間に配置された第２のカードへの書き込み情報と配置された位置とを特定するステップと、第２のカードへの書き込み情報および第２のカードが配置された位置と、第１のカードへの書き込み情報および第１のカードが配置された位置とを比較することで、第２のカードの配置の完了を判断するステップと、第２のカードの配置が完了したと判断された場合に、表示装置に、第２のカードの配置する位置を示す表示を終了させるステップとをさらに備える。
【００１４】
好ましくは、提示するステップでは、印刷装置に、第１のカードが配置された位置に基づいて第２のカードを配置する位置を印刷させる。
【００１５】
好ましくは、支援方法は、第１の作業空間から取り除かれた第３のカードを特定するステップと、第２の作業空間の、第３のカードに対応した第４のカードが操作対象であることを提示するステップとをさらに備える。
【００１６】
より好ましくは、取り除かれたカードを特定するステップにおいて、第１の作業空間から第３のカード、および、第２の作業空間から第４のカードが取り除かれたこと、が特定されると、操作対象であることを提示するステップでは、第１の作業空間でも操作対象であることを提示する。
【００１７】
より好ましくは、取り除かれたカードを特定するステップにおいて第１の作業空間から第３のカードが取り除かれたことが特定され、第１のカードへの書き込み情報が第３のカードへの書き込み情報と一致する場合に、記憶するステップでは、第３のカードが第１のカードの位置に移動されたことをメモリーに記憶する。
【００１８】
本発明の他の局面に従うと、支援システムはアイディア創出活動を支援するシステムであって、印刷装置と、印刷装置に電気的に接続された制御装置とを備える。制御装置は、第１の作業空間に新たに配置された第１のカードへの書き込み情報を特定するための第１の特定手段と、第１のカードが配置された位置とを特定するための第２の特定手段と、特定された第１のカードについての書き込み情報と配置された位置とをカード情報としてメモリーに記憶するための記憶手段と、特定された書き込み情報に基づいて、印刷装置に第２のカードを印刷させるための制御手段と、特定された第１のカードが配置された位置に基づいて、第２の作業空間上の第２のカードを配置する位置を提示するための提示手段とを備える。
【００１９】
本発明のさらに他の局面に従うと、制御装置はアイディア創出活動の支援を制御するための制御装置であって、第１の作業空間に新たに配置された第１のカードへの書き込み情報を特定するための第１の特定手段と、第１のカードが配置された位置とを特定するための第２の特定手段と、特定された第１のカードについての書き込み情報と配置された位置とをカード情報としてメモリーに記憶するための記憶手段と、特定された書き込み情報に基づいて、制御装置に接続された印刷装置に第２のカードを印刷させるための制御手段と、特定された第１のカードが配置された位置に基づいて、第２の作業空間上の第２のカードを配置する位置を提示するための提示手段とを備える。
【００２０】
本発明のさらに他の局面に従うと、画像形成装置は上記制御装置を含む。
本発明のさらに他の局面に従うと、支援プログラムは、コンピューターに、アイディア創出活動を支援するための処理を実行させるプログラムである。そのプログラムは、第１の作業空間に新たに配置された第１のカードへの書き込み情報と、第１のカードが配置された位置とを特定するステップと、特定された第１のカードについての書き込み情報と配置された位置とをカード情報としてメモリーに記憶するステップと、特定された書き込み情報に基づいて、コンピューターに接続された印刷装置に第２のカードの印刷を指示するステップと、特定された第１のカードが配置された位置に基づいて、第２の作業空間上の第２のカードを配置する位置を提示するステップとをコンピューターに実行させる。
【発明の効果】
【００２１】
この発明によると、遠隔地の複数拠点にいる複数人でのアイディア創出活動を支援することができる。
【図面の簡単な説明】
【００２２】
【図１】実施の形態にかかる支援システムの構成の具体例を示す図である。
【図２】支援システムに含まれるＰＣ（Personal  Computer）の構成の具体例を示すブロック図である。
【図３】支援システムに含まれるＭＦＰ（Multi-Functional  Peripheral）の構成の具体例を示すブロック図である。
【図４】支援システムの配置の具体例を表わした図である。
【図５】支援システムでの動作概要を表わした図である。
【図６】ＰＣの機能構成の具体例を示すブロック図である。
【図７】ＰＣでの動作の流れを表わしたフローチャートである。
【図８】ＰＣでの動作の流れを表わしたフローチャートである。
【図９】図７のステップＳ１０１での検知の方法を説明するための図である。
【図１０】新たな付箋の貼り付け位置を示す表示の方法の具体例を示す概略図である。
【図１１】貼り付け位置の提示方法の他の例を表わした概略図である。
【図１２】図８のステップＳ２２９での、付箋が移動中であることを表わす表示の具体例を説明するための図である。
【発明を実施するための形態】
【００２３】
以下に、図面を参照しつつ、本発明の実施の形態について説明する。以下の説明では、同一の部品および構成要素には同一の符号を付してある。それらの名称および機能も同じである。したがって、これらの説明は繰り返さない。
【００２４】
＜システム構成＞
図１は、本実施の形態にかかる支援システムの構成の具体例を示す図である。図１を参照して、支援システムは、少なくとも、制御装置であるＰＣ（Personal  Computer）１００と、印刷装置の一例であるＭＦＰ（Multi-Functional  Peripheral）２００とを含む。
【００２５】
一例として、本支援システムは、複数の拠点として拠点Ａ（たとえば東京）および拠点Ｂ（たとえば大阪）の２拠点のそれぞれにいる複数人でのアイディア創出活動を支援する。そこで、一例として、ＰＣ１００は、拠点Ａ，Ｂそれぞれに配置されたＰＣ１００ＡおよびＰＣ１００Ｂを含み、ＭＦＰ２００は拠点Ａ，Ｂそれぞれに配置されたＭＦＰ２００ＡおよびＭＦＰ２００Ｂを含む。
【００２６】
好ましくは、支援システムは、さらに、カメラ３００，４００と、プロジェクター５００と、モニター６００とを含む。これらは、拠点Ａ，Ｂそれぞれに配置されるために、複数（Ａ，Ｂ２つずつ）含まれるものとする。
【００２７】
制御装置であるＰＣ１００は、有線または無線によって、ＭＦＰ２００、カメラ３００，４００、プロジェクター５００、およびモニター６００と電気的に接続され、これらの動作を制御する。ＰＣ１００ＡおよびＰＣ１００Ｂは、たとえばインターネットなどの通信ネットワーク７００によって電気的に接続され、互いに通信可能である。
【００２８】
なお、図１の構成は一例であって、支援システムはこの構成に限定されない。たとえば、制御装置は、いずれかの拠点、または、いずれの拠点からも離れた位置に設置された１台のＰＣ１００であってもよい。または、各ＭＦＰ２００Ａ，２００Ｂが制御装置として機能してもよい。
【００２９】
また、制御装置はＰＣに限定されず、携帯電話機、いわゆるスマートフォンなどのモバイル端末などであってもよいし、ＭＦＰ２００に含まれてもよい。印刷装置もまた、複合機であるＭＦＰに限定されず、少なくともプリンター機能を有するものであれば他の装置であってもよい。プロジェクター５００およびモニター６００についても同様である。
【００３０】
＜装置構成＞
本支援システムに含まれるいずれの装置も、通常の装置で構成することができる。すなわち、ＰＣ１００は通常のＰＣであってよく、ＭＦＰ２００も通常のＭＦＰであってよい。
【００３１】
図２は、ＰＣ１００の構成の具体例を示すブロック図であって、一例として、通常のＰＣの構成を示したものである。すなわち、図２を参照して、ＰＣ１００は、全体を制御するための演算装置であるＣＰＵ（Central  Processing  Unit）１０と、メモリーとして機能するＲＯＭ（Read  Only  Memory）１１、ＲＡＭ（Random  Access  Memory）１２、およびＨＤ（Hard  Disk）１３と、ＭＦＰ２００、カメラ３００，４００、プロジェクター５００、およびモニター６００との間の通信を制御するための第１ネットワークコントローラー１４と、ＰＣ１００間の通信を制御するための第２ネットワークコントローラー１５とを含む。
【００３２】
図３は、ＭＦＰ２００の構成の具体例を示すブロック図であって、一例として、通常のＭＦＰの構成を示したものである。すなわち、図３を参照して、ＭＦＰ２００は、全体を制御するための演算装置であるＣＰＵ２０と、メモリーとして機能するＲＯＭ２１、ＲＡＭ２２、およびＨＤ２３と、スキャナー２４と、プリンター２５と、操作パネル２６と、ＰＣ１００との間の通信を制御するためのネットワークコントローラー２７とを含む。
【００３３】
＜動作概要＞
図４は、本支援システムの配置の具体例を表わした図である。図４は、上記の拠点Ａおよび拠点Ｂのうちの１拠点での配置例を表わしている。図４を参照して、各拠点には、作業空間の一例として、作業面として用いられるホワイトボード（ＷＢ１，ＷＢ２）が設置され、カメラ３００は、ホワイトボードＷＢ１，ＷＢ２とその手前に立つユーザーとの間の空間を撮影範囲に含むように設置される。カメラ４００は、ホワイトボードＷＢ１，ＷＢ２を撮影範囲に含むように設置される。各拠点において、プロジェクター５００Ａ，５００Ｂは、それぞれ、設置されるホワイトボードＷＢ１，ＷＢ２に投影可能な位置および向きに設置される。
【００３４】
その他、各拠点には作業机などが設置されていてよく、ＰＣ１００はその上に設置されていてもよい。また、ＭＦＰ２００はその近傍、モニター６００はその側方に設置されていてもよい。
【００３５】
なお、作業空間は、付箋を配置する（置く、または貼り付ける）ことが可能な作業平面を有するものであればどのような空間であってもよい。作業平面は必ずしも平らな面でなくてもよい。凹凸があったり、湾曲していたり、孔が設けられていたりしてもよい。
【００３６】
各拠点にてアイディア創出活動に参加しているユーザーは、アイディアをカードの一例として付箋に記入する。そのユーザーは、ホワイトボードＷＢに近づき、アイディアを記入した付箋をホワイトボードＷＢに貼り付ける。ホワイトボードＷＢに貼り付けられた付箋は、書き込まれた画像（文字、図形等）が視認可能であることによって参加者にアイディアを提供すると共に、貼り付けられた位置（配置）によって分類や順位などを示す。
【００３７】
アイディア創出活動では、ホワイトボードＷＢに対して、新たな付箋を貼り付ける操作とすでに貼り付けられている付箋を移動させる操作とが行なわれる。付箋を移動させる操作は、ホワイトボードＷＢに対して、すでに貼り付けられている付箋を剥がす操作と、剥がした付箋を別の場所に貼り付ける操作とに分けられる。なお、通常、アイディア創出活動では、参加するユーザーが活発にアイディアを出し合って、そのアイディアに対して様々な切り口での話し合いを重ねるものであるため、出てきたアイディアを取り下げるという場面は少ない。いったん出されたアイディアを取り下げる操作としては、たとえば、すでに貼り付けられた付箋をホワイトボードＷＢ上の取り下げるアイディアを貼り付ける領域に移動させる、という操作が挙げられる。そこで、上のように、本支援システムが支援するアイディア創出活動では、ホワイトボードＷＢに対して新たな付箋を貼り付ける操作と、すでに貼り付けられた付箋を移動させる操作との、上記の２つの操作が行なわれるものとする。
【００３８】
ユーザーがホワイトボードＷＢに付箋を貼り付ける操作を行なうと、ＰＣ１００はカメラ４００によるホワイトボードＷＢを撮影範囲に含んだ撮影画像を取得する。ＰＣ１００は、その撮影画像を解析することで、新たに貼り付けられた付箋を特定すると共に、書き込まれた画像を書き込み情報として特定し、また、貼り付けられた位置（たとえば座標）を位置情報として特定する。
【００３９】
図５は、本支援システムでの動作概要を表わした図である。図５を参照して、拠点Ａにおいて、ＰＣ１００Ａは、ユーザーによる上記の動作を検知するための処理を実行している（ステップＳ１）。一例として、ＰＣ１００Ａはカメラ３００Ａからの撮影画像を連続的に、または、短い時間間隔で入力し、その画像を解析することで、ユーザーがホワイトボードＷＢ１にタッチ、または極めて近接したことを検知する。つまり、ＰＣ１００Ａは、ユーザーがホワイトボードＷＢ１に対するユーザーの操作を検知する。
【００４０】
ＰＣ１００Ａは、ユーザーがホワイトボードＷＢ１に対して操作したことを検知すると、カメラ４００Ａに撮影動作を行なわせて、ホワイトボードＷＢ１を撮影範囲に含む撮影画像の入力をカメラ４００Ａから受け付ける（ステップＳ２）。なお、好ましくは、ＰＣ１００Ａは、カメラ３００Ａからの撮影画像に基づいて、ユーザーによるホワイトボードＷＢ１への操作が完了したことを確認した後にカメラ４００Ａに撮影動作を行なわせる。これにより、撮影画像にユーザーやユーザーの身体の一部（手等）が映り込むことが防がれる。
【００４１】
ＰＣ１００Ａは、メモリーから直近の撮影画像を読み出して、今回の撮影画像との差分を検出する。そして、ＰＣ１００Ａは、その差分の撮影画像を解析して、ホワイトボードＷＢ１に新たに貼り付けられた付箋を認識する（ステップＳ３）。ここでは、一例として、用いられる付箋の形状（色、模様、等）が予めＰＣ１００Ａに登録されているものとする。ＰＣ１００Ａは、撮影画像からその形状を抽出することで、ホワイトボードＷＢ１に貼り付けられた付箋を認識することができる。ＰＣ１００Ａは、画像解析することで、ホワイトボードＷＢ１に新たに貼り付けられた付箋の書き込み情報および位置情報を特定する。ＰＣ１００Ａは、カメラ４００からの撮影画像や、特定された情報を付箋情報として、メモリーに記憶する（ステップＳ４）。
【００４２】
なお、新たな付箋を認識する処理は上記の処理に限定されない。たとえば、ＰＣ１００Ａは、カメラ４００Ａからの撮影画像を画像解析して撮影画像に含まれる付箋をすべて特定した上で、直近の撮影画像から特定されたすべての付箋との差分を検出しても、同様に、新たな付箋を認識することができる。しかしながら、上記のように先に直近の撮影画像からの差分を検出することで画像解析の負荷を抑えることができる。
【００４３】
新たな付箋があった場合、つまり、上記のユーザーの操作によって新たに付箋が貼り付けられた場合、ＰＣ１００Ａは、上記の付箋情報、つまり、新たな付箋の書き込み情報および位置情報を遠隔のＰＣ１００Ｂに対して送信する（ステップＳ５）。
【００４４】
ＰＣ１００Ｂは、遠隔のＰＣ１００Ａから上記の付箋情報を受信すると、その情報をメモリーに記憶する（ステップＳ６）。次に、ＰＣ１００Ｂは、受信した書き込み情報をＭＦＰ２００Ｂに送って、予め規定された付箋用紙へのプリントを指示する（ステップＳ７）。また、ＰＣ１００Ｂは、受信した貼り付け位置を示す情報をプロジェクター５００Ｂに送ってその位置に対応した位置のホワイトボードＷＢ２上での投影を指示し、ユーザーに対して貼り付け位置を提示する（ステップＳ８）。
【００４５】
ステップＳ８では、好ましくは、ＰＣ１００Ｂは、予め、拠点ＡのホワイトボードＷＢ１上の位置を示す座標と、拠点ＢのホワイトボードＷＢ２上の位置を示す座標との対応関係を記憶しておく。そして、ＰＣ１００Ｂは、その対応関係に基づいて位置情報に示される位置（たとえば座標）を変換してプロジェクター５００Ｂに送って、対応するホワイトボードＷＢ２上での投影を指示する。
【００４６】
ユーザーは、ホワイトボードＷＢ２上にプロジェクター５００Ｂによって投影された位置に、プリントされた付箋を貼り付けることで、拠点ＡのホワイトボードＷＢ１での付箋の状態を再現することができる。ＰＣ１００Ｂは、そのユーザーの付箋の貼り付けが完了したことを確認するための処理を行なう（ステップＳ９）。そして、拠点Ａからの付箋情報に基づく内容の付箋が対応した位置に貼り付けられて貼り付けが完了していることが確認されると、ＰＣ１００Ｂは、プロジェクター５００Ｂでの投影を終了させ、一連の動作を完了する。
【００４７】
なお、上記ステップＳ８でＰＣ１００Ｂは、上記ステップＳ１〜３と同様にしてユーザーの貼り付けた付箋を認識する。そして、ＰＣ１００Ｂは、上記ステップＳ６で記憶した付箋情報と比較することで、適切に付箋が貼り付けられたか否かを判断する。すなわち、ＰＣ１００Ｂは、カメラ３００Ｂによる撮影画像に基づいてユーザーがホワイトボードＷＢ２に対して操作したことを検知すると、カメラ４００Ｂに撮影動作を行なわせてホワイトボードＷＢ２を撮影範囲に含む撮影画像の入力をカメラ４００Ｂから受け付ける。ＰＣ１００Ｂは、メモリーから直近の撮影画像を読み出して今回の撮影画像との差分を検出することで、新たに貼り付けられた付箋を認識する。すなわち、ＰＣ１００Ｂは、画像解析することで新たに貼り付けられた付箋の書き込み画像および貼り付け位置を特定して、書き込み情報および位置情報を取得する。そして、ＰＣ１００Ｂは、その情報と、上記ステップＳ６でメモリーに記憶した拠点Ａにて新たに貼り付けられた付箋についての付箋情報とを比較して、その差異が予め設定されている許容範囲内であるか否かによって、適切に付箋が貼り付けられているか否かを判断する。
【００４８】
ＰＣ１００Ｂは、適切に付箋が貼り付けられていないと判断した場合には、未だ貼り付ける操作が完了していないものとして、適切に付箋が貼り付けられるまでプロジェクター５００Ｂでの投影を継続する。
【００４９】
＜機能構成＞
図６は、上記動作を行なうためのＰＣ１００の機能構成の具体例を示すブロック図である。図６に示された各機能は、ＰＣ１００のＣＰＵ１０がＲＯＭ１１に記憶されているプログラムをＲＡＭ１２上に読み出して実行することで、主に、ＣＰＵ１０で実現される。しかしながら、少なくとも一部が、図示しない電気回路や図２に示されたハードウェア構成などによって実現されてもよい。
【００５０】
図６を参照して、メモリーとしてたとえばＨＤ１３には、撮影画像を記憶するための記憶領域である画像記憶部１３１が含まれる。なお、画像記憶部１３１には、撮影画像に加えて上記の付箋情報が記憶されてもよい。
【００５１】
さらに図６を参照して、ＣＰＵ１０は、カメラ３００からの撮影画像を用いてユーザーのホワイトボードＷＢへの操作を検知するための動作検知部１０１と、その検知結果に従ってカメラ４００に対して撮影指示を出力することでカメラ４００から撮影画像の入力を受け付けるための画像入力部１０２と、記憶されている直近の撮影画像を画像記憶部１３１から読み出して比較することで差分を検出するための差分検出部１０３と、その差分から、新たに貼り付けられた付箋に書き込まれた画像を抽出して画像情報を得るための画像抽出部１０４と、新たに貼り付けられた付箋の貼り付け位置（たとえば座標）を算出するための位置算出部１０５と、カメラ４００からの撮影画像を画像記憶部１３１に格納すると共に画像情報と貼り付け位置とを付箋情報として画像記憶部１３１に格納するための記憶部１０６と、付箋情報を遠隔のＰＣに対して送信するための送信部１０７と、遠隔のＰＣから付箋情報を受信するための受信部１０８と、受信した書き込み情報に基づいてＭＦＰ２００に対して新たな付箋へのプリントを指示するためのプリンター制御部１０９と、受信した位置情報に基づいてプロジェクター５００に対してホワイトボードＷＢへの位置を示す画像の投影を指示するためのプロジェクター制御部１１０と、適切に付箋が貼り付けられたか否かを確認するための確認部１１１とを含む。
【００５２】
記憶部１０６は、受信した付箋情報もまた画像記憶部１３１に格納する。確認部１１１は、カメラ４００による撮影画像を解析して得られた付箋情報と受信した付箋情報とを比較することで、適切に付箋が貼り付けられて、貼り付ける操作が完了したか否かを確認する。そして、確認部１１１での確認結果に従って、プロジェクター制御部１１０はプロジェクターでの投影の終了を指示する。
【００５３】
＜動作フロー＞
図７および図８は、ＰＣ１００での動作の流れを表わしたフローチャートである。図７および図８のフローチャートに表わされた動作は、ＰＣ１００のＣＰＵ１０がＲＯＭ１１に記憶されているプログラムをＲＡＭ１２上に読み出して実行し、図６の各機能を発揮することによって実現される。
【００５４】
すなわち、図７を参照して、ＣＰＵ１０は、カメラ３００からの撮影画像に基づいてユーザーのホワイトボードＷＢへの操作があったか否かを検知する（ステップＳ１０１）。ステップＳ１０１でＣＰＵ１０は、連続的に、または、短い時間間隔でカメラ３００からの撮影画像（たとえば動画像）の入力を受け付け、画像解析することでユーザーの身体の特徴的な部分を検出する。一例として、ＣＰＵ１０は撮影画像から頭部を検出する。頭部を検出するためには、ＣＰＵ１０は、撮影画像から動体を検出する。そして、ＣＰＵ１０は、その大きさ、色、形状が規定された範囲内にあるときに頭部であると判断する。ユーザーの頭部がホワイトボードＷＢ表面から予め規定した距離（たとえば５０ｃｍ）内にあることが判断されると、ＣＰＵ１０は、そのユーザーがホワイトボードＷＢに対する操作を行なう可能性が高いものとして、そのユーザーの画像解析を続行する。
【００５５】
図９は、上記ステップＳ１０１での検知の方法を説明するための図であって、カメラ３００からの撮影画像の具体例を模式的に示した図である。一例として、図９に示されたように、カメラ３００は、ホワイトボードＷＢの上方、やや、ユーザー側よりに設置される。
【００５６】
図９（Ａ）を参照して、ＣＰＵ１０は、カメラ３００の撮影画像から、ユーザーの頭部がホワイトボードＷＢ表面から予め規定した距離内にあると判断すると、次に、カメラ３００の撮影画像を順に解析してそのユーザーの胴体部を検出する。胴体部の検出は、頭部に追随した動体の検出により行なうことができる。
【００５７】
さらに、ＣＰＵ１０は、カメラ３００からの撮影画像を順に解析し、そのユーザーの動きを監視する。図９（Ｂ）に示されたように、そのユーザーの胴体部からホワイトボードＷＢに向かって延びる部分を検出すると、ＣＰＵ１０は、その部分とホワイトボードＷＢとの間の距離を監視する。そして、上記部分とホワイトボードＷＢとの間の距離が予め規定した距離以内となった場合に、そのユーザーがホワイトボードＷＢにタッチした、つまり、ホワイトボードＷＢに対する操作が行なわれたと検知する。
【００５８】
なお、ユーザーのホワイトボードＷＢへの操作を検知する方法は、上記の方法に限定されない。すなわち、カメラ３００からの撮影画像を解析して検知するものに限定されない。たとえば、ホワイトボードＷＢにタッチを検知するためのセンサーを配置し、ＣＰＵ１０がそのセンサーからのセンサー信号の入力を受け付けることでユーザーのホワイトボードＷＢへの操作を検知するようにしてもよい。
【００５９】
ＣＰＵ１０は、上記のようにしてユーザーのホワイトボードＷＢに対する操作を検知すると（ステップＳ１０１でＹＥＳ）、カメラ４００に対して作業面であるホワイトボードＷＢを含む撮影範囲の撮影を指示して、カメラ４００から撮影画像Ｐ１を取得する（ステップＳ１０３）。ＣＰＵ１０は、メモリーから直近（前回）の撮影画像Ｐ２を読み出して（ステップＳ１０５）、撮影画像Ｐ１，Ｐ２の差分を検出する（ステップＳ１０７）。撮影画像Ｐ１，Ｐ２の間に差分があり（ステップＳ１０９でＹＥＳ）、さらに、その差分が付箋の追加であった場合（ステップＳ１１１でＹＥＳ）、ＣＰＵ１０は、上記差分より新たに貼り付けられた付箋に書き込まれた画像を抽出して書き込み情報を取得する（ステップＳ１１３）。また、ＣＰＵ１０は、貼り付けられた位置を算出して位置情報を取得する（ステップＳ１１５）。
【００６０】
現在の状態が付箋の移動中である場合、つまり、ユーザーがホワイトボードＷＢから付箋を剥がして新たな位置に貼り直す操作の途中である場合（ステップＳ１１７でＹＥＳ）、ＣＰＵ１０は、先の動作によって（後述するように）無くなった付箋として認識された付箋の書き込み情報と新たな付箋の書き込み情報とを比較する。そして、それらが一致した場合、つまり、書き込まれた画像が一致する場合（ステップＳ１１９でＹＥＳ）、ＣＰＵ１０は、先に無くなったと認識された付箋が移動されたものとしてメモリーに記憶する（ステップＳ１２１）。
【００６１】
一方、現在の状態が付箋の移動中ではない場合には（ステップＳ１１７でＮＯ）、ＣＰＵ１０は、新たな貼り付けられた付箋を新たな付箋としてその付箋情報をメモリーに格納する（ステップＳ１２３）。なお、現在の状態が付箋の移動中であっても、先の動作によって無くなった付箋として認識された付箋の書き込み情報と新たな付箋の書き込み情報とが一致しなかった場合も（ステップＳ１１９でＮＯ）、ＣＰＵ１０は、新たに貼り付けられた付箋を新たな付箋としてその付箋情報をメモリーに格納する（ステップＳ１２３）。
【００６２】
以上の動作の後、ＣＰＵ１０は、付箋の位置および書き込み画像を表わす付箋情報を遠隔のＰＣに対して送信して（ステップＳ１２５）、最初の動作に戻る。
【００６３】
なお、撮影画像Ｐ１，Ｐ２の差分が付箋の追加ではなかった場合、つまり、付箋が無くなっていた場合（ステップＳ１１１でＮＯ）、ＣＰＵ１０は、上記差分より無くなった付箋を特定し（ステップＳ１２７）、メモリーに記憶する。また、ＣＰＵ１０は、現在の状態を付箋の移動中であると特定して、移動中であるいう情報と共に移動対象である付箋を特定する情報を遠隔のＰＣに対して送信する（ステップＳ１２９）。
【００６４】
上記において、ＣＰＵ１０は、カメラ４００の撮影画像を解析することによって書き込み画像を特定し、書き込み情報を取得するものとしている。しかしながら、書き込み情報の取得はこの方法に限定されない。他の例として、付箋への画像の書き込みにＣＰＵ１０に電気的に接続されたペンデバイスを用い、ＣＰＵ１０がそのペンデバイスからの信号に基づいて書き込み画像を特定し、書き込み情報を取得してもよい。また、他の例として、付箋を貼りつける際には付箋をＭＦＰ２００でスキャンすることとし、ＣＰＵ１０がＭＦＰ２００からスキャン画像の入力を受け付けることで書き込み情報を取得してもよい。しかしながら、これらの例では付箋を貼り付けるユーザーの操作が煩雑になるおそれがある。そのため、好ましくは、ＣＰＵ１０は、上記したように画像解析を行なって書き込み画像を特定し、書き込み情報を取得する。このようにすることで、上記のようにユーザーの煩雑な操作を不要とすることができると共に、いったん付箋を貼り付けた後に、その付箋に対して書き込み等を行なった場合にも、新たな書き込み情報を取得することが可能となる。
【００６５】
ＣＰＵ１０がユーザーのホワイトボードＷＢへの操作ではなく（ステップＳ１０１でＮＯ）、遠隔のＰＣから情報を受信すると（ステップＳ１０２でＹＥＳ）、図８を参照して、その情報が付箋情報であった場合には（ステップＳ２０１でＹＥＳ）、ＣＰＵ１０は、その付箋情報をメモリーに記憶すると共に（ステップＳ２０３）、書き込み情報をＭＦＰ２００に渡して、付箋用紙へのプリントを指示する（ステップＳ２０５）。また、ＣＰＵ１０は、位置情報に基づく位置をプロジェクター５００に指示して、位置を示す画像の投影を指示する（ステップＳ２０７）。
【００６６】
図１０は、プロジェクター５００での新たな付箋の貼り付け位置を示す表示の方法の具体例を示す概略図である。一例として、プロジェクター５００は、図１０（Ａ）のように、指示された位置に向かう矢印画像を表示することで、貼り付け位置を提示してもよい。また、他の例として、プロジェクター５００は、図１０（Ｂ）のように、貼り付ける位置に付箋と同形状のマークを表示することで、貼り付け位置を提示してもよい。また、他の例として、プロジェクター５００は、図１０（Ｃ）のように、貼り付ける位置に、新たに貼り付ける付箋の画像を表示することで、貼り付け位置を提示してもよい。なお、図１０（Ｃ）の例の場合には、ＣＰＵ１０は、プロジェクター５００に対して位置情報に基づく表示位置を指示すると共に、書き込み情報に基づいて表示画像も指示する。
【００６７】
この例では、プロジェクター５００がホワイトボードＷＢ上に位置を示す画像を投影することで貼り付け位置を提示するものとしているが、貼り付け位置の提示方法はこの方法に限定されない。図１１は、貼り付け位置の提示方法の他の例を表わした概略図である。図１１を参照して、他の例として、ＣＰＵ１０は、ＭＦＰ２００に書き込み情報に基づいて新たな付箋用紙へのプリントを指示する際に位置情報に基づく貼り付け位置も指示し、その貼り付け位置（たとえば座標）もプリントすることを指示するようにしてもよい。一例として、図１１に示されたように、新たに貼り付ける付箋に遠隔での書き込み情報がプリントされると共に、その貼り付け位置もプリントされる。そこで、ユーザーは、その貼り付け位置を確認しながら貼り付けることで、遠隔と同様に付箋を貼り付けることができる。なお、この場合、ＣＰＵ１０は、プロジェクター５００で一時的に座標をホワイトボードＷＢに投影させるようにしてもよい。このようにすることで、ユーザーは座標系を把握することができる。
【００６８】
その後、ＣＰＵ１０は、提示した位置にプリント指示した付箋が貼り付けられたか否かを確認するための処理を実行する。すなわち、ＣＰＵ１０は、カメラ３００からの撮影画像に基づいてユーザーのホワイトボードＷＢへの操作があったか否かを検知する（ステップＳ２０９）。ここでの動作は、上記ステップＳ１０１の動作と同じであってよい。ＣＰＵ１０は、ユーザーのホワイトボードＷＢに対する操作を検知すると（ステップＳ２０９でＹＥＳ）、カメラ４００に対して作業面であるホワイトボードＷＢを含む撮影範囲の撮影を指示して、カメラ４００から撮影画像Ｑ１を取得する（ステップＳ２１１）。ＣＰＵ１０は、メモリーから直近（前回）の撮影画像Ｑ２を読み出して（ステップＳ２１３）、撮影画像Ｑ１，Ｑ２の差分を検出する（ステップＳ２１５）。ＣＰＵ１０は、上記差分より新たに貼り付けられた付箋に書き込まれた画像を抽出して書き込み情報を取得する（ステップＳ２１７）。また、ＣＰＵ１０は、貼り付けられた位置を算出して位置情報を取得する（ステップＳ２１９）。ここまでの一連の動作は、上記ステップＳ１０３〜Ｓ１１５での動作と同じである。
【００６９】
ＣＰＵ１０は、新たな付箋についての付箋情報と受信した付箋情報とを比較する。その結果、新たな付箋の書き込み情報および位置情報が受信した付箋情報のそれぞれに対して規定された許容範囲内にある場合には（ステップＳ２２１でＹＥＳ）、ＣＰＵ１０は、適切に付箋が貼り付けられたものとして、プロジェクター５００による貼り付け位置の提示を終了する（ステップＳ２２３）。そうでない場合には（ステップＳ２２１でＮＯ）、ＣＰＵ１０は、適切に貼り付けられるまでプロジェクター５００による貼り付け位置の提示を継続しつつ、引き続き、ユーザーによる貼り付けを監視する。
【００７０】
なお、現在の状態が付箋の移動中であった場合（ステップＳ２２５でＹＥＳ）、ＣＰＵ１０は、後述する、プロジェクター５００による付箋の移動中であることを表わす表示を終了して（ステップＳ２２７）、動作を最初に戻す。
【００７１】
一方、遠隔のＰＣから受信した情報が付箋情報でなかった場合（ステップＳ２０１でＮＯ）、つまり、上記ステップＳ１２９で送信された、付箋の移動中であることを表わした情報であった場合、ＣＰＵ１０は、現在の状態を付箋の移動中であるとして、プロジェクター５００に、その状態を表わす表示を行なわせて（ステップＳ２２９）、動作を最初に戻す。
【００７２】
図１２は、上記ステップＳ２２９での、付箋が移動中であることを表わす表示の具体例を説明するための図である。一例として、プロジェクター５００は、移動対象の付箋を手に持っているユーザーのアバターをホワイトボードＷＢに表示する。「アバター」とは、付箋を手に持っているユーザーを象徴する画像を指し、好ましくは、移動対象の付箋を手に持っているユーザー撮影画像を所定サイズとした画像が用いられる。その他、予め記憶している画像が用いられてもよい。
【００７３】
すなわち、一例として、図１２（Ａ）のように、拠点Ａにおいてユーザーがすでに貼り付けられている付箋をホワイトボードＷＢ１から剥がすと、ＣＰＵ１０は、付箋が無くなったことを検知してそのときの撮影画像を取得する。ＣＰＵ１０は、付箋が移動中であるという情報と共にその撮影画像を遠隔のＰＣ１００Ｂに送信する。
【００７４】
拠点ＢのＰＣ１００ＢのＣＰＵ１０は、その情報を受信すると、一例として、受信した撮影画像を所定サイズまで小さくしてプロジェクター５００Ｂに渡して、図１２（Ｂ）のように、移動対象の付箋の近傍に表示させる。
【００７５】
このようにすることで、拠点Ａにおいてすでに貼り付けてある付箋が無くなったことが検出された時点で移動中である表示が拠点Ｂにおいてなされる。そのときに、図１２（Ｂ）のようにアバターが表示されることで、拠点Ｂのユーザーは、移動中であることを直感的に把握することができる。さらに、上記したように、実際にその付箋を移動させているユーザーを含む撮影画像がアバターとして用いられることで、誰がその付箋を移動させようとしているかを拠点Ｂでも把握することができる。アイディアを出し合う上では、付箋が移動状態であることが認識されることでも十分に創出活動は可能であるが、誰が移動させているかが認識されることで、アイディア創出活動においてより円滑なコミュニケーションが図られる。
【００７６】
＜実施の形態の効果＞
以上の動作が、各拠点に配置されたＰＣ１００において行なわれることで、ある拠点Ａでの付箋の状態が、概ねリアルタイムに遠隔の拠点Ｂに反映されることになり、遠隔の複数拠点にいる複数人でのアイディア創出活動が円滑に行なわれる。すなわち、各拠点のユーザーはあたかも同じ拠点でアイディア創出活動に参加しているように作業状態を共有することが可能となる。
【００７７】
＜変形例１＞
なお、上記の動作が各拠点に配置されたＰＣ１００において行なわれるため、各拠点の対応する付箋に対して、それぞれの拠点で異なった操作がなされる場合もある。このような状態を、以下、競合状態とも称する。
【００７８】
本支援システムは、ある付箋が競合状態に陥ったときに、各拠点にてその旨を提示することで、異なる拠点のユーザーの間での混乱を抑える。具体的には、ＣＰＵ１０は、撮影画像Ｐ１，Ｐ２の差分から無くなった付箋を特定したとき、その付箋について遠隔のＰＣ１００から移動中であることを示す情報を受信していた場合にはその付箋が競合状態であると判断する。この場合、ＣＰＵ１０は、予め規定されている、競合状態であることを示す画像をその付箋の近傍に表示させると共に、その付箋が競合状態であることを示す情報を遠隔のＰＣ１００に対して送信する。また、遠隔のＰＣ１００から移動中の状態である付箋に対して競合状態にあることを示す情報が送信されてくると、ＣＰＵ１０は、予め規定されている、競合状態であることを示す画像をその付箋の近傍に表示させる。競合状態であることを示す画像としては、たとえば先述のアバターなどが挙げられる。
【００７９】
本支援システムがこのような表示を行なうことで、競合状態にあることが相手側の拠点のユーザー、または双方の拠点のユーザーが容易に把握することができ、競合状態を回避する操作を行なうことができる。
【００８０】
しかしながら、競合状態である旨を表示したとしても、いずれの拠点のユーザーも回避するための操作を行なわない場合も考えられる。この場合、ＣＰＵ１０は、遠隔のＰＣ１００から受信した付箋情報に従って、遠隔の拠点でのその付箋の移動先をホワイトボードＷＢに表示させるようにしてもよい。このようにすることで、各拠点のユーザーは、自身の拠点での付箋の位置を実際の付箋で確認することができると共に、遠隔の拠点での付箋の位置もプロジェクター５００での投影によって確認することができる。
【００８１】
＜変形例２＞
なお、以上の説明では、付箋の貼り付け位置として作業平面上の貼り付け位置を特定する、つまり、二次元での処理であるものとしている。しかしながら、本支援システムでは、付箋の貼り付け位置を三次元で処理してもよい。たとえば、作業平面に貼り付けられた付箋をユーザーが剥がして自身の手で持ったり、異なる作業面に貼りつけたり、などの操作での付箋の移動を反映させることが挙げられる。たとえば、ホワイトボードＷＢの左上隅を原点（０，０，０）として、ホワイトボードＷＢに向かって右方向をＸ軸方向、下方向をＹ軸方向、およびホワイトボードＷＢの法線方向をＺ軸方向として、ＰＣ１００は、各付箋の位置を３次元座標で特定してもよい。
【００８２】
このようにすることで、本支援システムでは各付箋の動きをより詳細に特定することができ、遠隔にその動きを詳細に転送することができる。これにより、各拠点のユーザーは、より詳細に作業状態を共有することが可能となる。
【００８３】
＜変形例３＞
先述のように、制御装置はＰＣに限定されず他の装置であってもよく、また、ＭＦＰ２００に含まれてもよい。そこで、汎用装置であるそれら装置のＣＰＵに上記の動作を行なわせるためのプログラムを提供することもできる。このようなプログラムは、これら装置に内蔵されるコンピューターに付属するフレキシブルディスク、ＣＤ−ＲＯＭ（Compact  Disk-Read  Only  Memory）、ＲＯＭ、ＲＡＭおよびメモリカードなどのコンピューター読取り可能な記録媒体にて記録させて、プログラム製品として提供することもできる。あるいは、コンピューターに内蔵するハードディスクなどの記録媒体にて記録させて、プログラムを提供することもできる。また、ネットワークを介したダウンロードによって、プログラムを提供することもできる。
【００８４】
なお、本発明にかかるプログラムは、コンピューターのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【００８５】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【００８６】
提供されるプログラム製品は、ハードディスクなどのプログラム格納部にインストールされて実行される。なお、プログラム製品は、プログラム自体と、プログラムが記録された記録媒体とを含む。
【００８７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８８】
１０，２０  ＣＰＵ、１１，２１  ＲＯＭ、１２，２２  ＲＡＭ、１３，２３  ＨＤ、１４  第１ネットワークコントローラー、１５  第２ネットワークコントローラー、２４  スキャナー、２５  プリンター、２６  操作パネル、２７  ネットワークコントローラー、１００，１００Ａ，１００Ｂ  ＰＣ、１０１  動作検知部、１０２  画像入力部、１０３  差分検出部、１０４  画像抽出部、１０５  位置算出部、１０６  記憶部、１０７  送信部、１０８  受信部、１０９  プリンター制御部、１１０  プロジェクター制御部、１１１  確認部、１３１  画像記憶部、２００，２００Ａ，２００Ｂ  ＭＦＰ、３００，３００Ａ，３００Ｂ，４００，４００Ａ，４００Ｂ  カメラ、５００，５００Ａ，５００Ｂ  プロジェクター、６００  モニター、７００  通信ネットワーク。
【図１】
2014216888.tif 000003
【図２】
2014216888.tif 000004
【図３】
2014216888.tif 000005
【図４】
2014216888.tif 000006
【図５】
2014216888.tif 000007
【図６】
2014216888.tif 000008
【図７】
2014216888.tif 000009
【図８】
2014216888.tif 000010
【図９】
2014216888.tif 000011
【図１０】
2014216888.tif 000012
【図１１】
2014216888.tif 000013
【図１２】
2014216888.tif 000014